(57)【要約】【課題】  個人認証装置の認証機能を使用しないときに、他の機能を付加する。【解決手段】  赤外光源部と撮像手段を備え、撮像手段により撮像した指の血管パターンと、あらかじめ登録してある血管パターンとの照合により個人を識別する個人認証機能、および、前記撮像手段により、図形を読み取り、認識することが可能な図形読取機能とを有する構成とし、マイコンにより個人認証機能と、図形読取機能が切替えられるようにした。【効果】  個人認証装置に、簡単で安価に、図形を読み取り、認識することが可能な図形読取機能を兼用できる構成を実現できる。【選択図】図１
2005242726.tif 000002
【特許請求の範囲】
【請求項１】
赤外光源部と撮像手段とを備え、
前記撮像手段により、生体透過光、または反射光を撮像して取得したデータと、あらかじめ登録してあるデータとの照合により個人を識別する個人認証機能、
および、前記撮像手段により、図形を読み取り認識することが可能な図形読取機能とを有することを特徴とする個人認証兼図形読取装置。
【請求項２】
請求項１において、
前記個人認証兼図形読取装置から出力されるデータを読み取ることが可能である情報端末装置が接続されたことを特徴とする個人認証兼図形読取装置。
【請求項３】
請求項１または請求項２において、
前記個人認証機能と前記図形読取機能を任意に切り替えて、使用可能とすることを特徴とする個人認証兼図形読取装置。
【請求項４】
請求項１または請求項２において、
前記個人認証機能により個人を認証した後に、図形読取機能に切替えることを特徴とする個人認証兼図形読取装置。
【請求項５】
請求項４において、
前記図形読取機能で読み取った前記データは前記情報端末に接続された外部ネットワークからのダウンロード先を表し、ダウンロードにより認証した本人へ課金がなされることを特徴とする個人認証兼図形読取装置。
【請求項６】
請求項１において、
前記図形は、個人認証用のデータの登録、または消去の指図を示すことを特徴とする個人認証兼図形読取装置。
【発明の詳細な説明】
【技術分野】
【０００１】
本発明は、個人認証装置、または図形読取装置に関する。
【背景技術】
【０００２】
従来、例えば、自動車のドアロック解除や始動するために鍵が用いられており、鍵をイグニッションスイッチに挿入し、回転させることで自動車を始動状態に遷移させることが知られている。この従来から用いられている鍵においては、鍵を盗難された場合や鍵穴のピッキング等により、自動車のオーナ以外の悪意を持った人物に運転されてしまう可能性がある。
【０００３】
そこで、例えば、特許文献１や特許文献２では、生体情報である指紋を利用して自動車のドアロック解除や始動するものが検討されている。しかし、指紋は偽造することが可能であるため、よりセキュリティを高める方法として、例えば、特許文献３に記載されているように、生体情報として指の血管パターンを含む画像を利用する個人認証の方法が知られている。この方法は、指の血管パターンを、レンズと撮像素子である２次元イメージセンサを有する撮像手段により検出し、検出された指血管パターンとあらかじめ登録した指血管パターンとの一致，不一致を判定することにより、指血管パターンを登録した個人を特定し認証するものである。
【０００４】
【特許文献２】特開昭６１−５３９７２号公報
【特許文献３】特開平６−７２２９１号公報
【特許文献４】特開２００１−１８４５０７号公報
【発明の開示】
【発明が解決しようとする課題】
【０００５】
ところで、個人認証装置を利用して所有者（あるいは許可された使用者）の自動車のエンジン始動に用いると、エンジン始動後は他の機能に振り分けることも可能である。
【０００６】
そこで本発明は、上記の個人認証装置に、簡単にさらなる付加機能を追加し、装置の利用効率を上げる手段を提供することを目的とする。
【課題を解決するための手段】
【０００７】
本発明では、上記目的を達成するために、赤外光源部と撮像手段を備え、撮像手段により、生体透過光、または反射光を撮像して取得したデータと、あらかじめ登録してあるデータとの照合により個人を識別する個人認証機能、および、前記撮像手段により、図形を読み取り、認識することが可能な図形読取機能とを有する構成とした。これらの個人認証機能と図形読取機能は任意に切り替えが可能である。
【０００８】
さらに、上記の構成に、情報端末、例えばナビゲーション装置を接続し、読み取ったバーコードや文字のデータを送信できる構成とした。このデータは、地点や情報端末に接続された外部ネットワークからのダウンロード先を示す。また、個人認証が既に行われているので、ダウンロードにより課金を発生させても良い。
【０００９】
また、読み取られる図形は、個人認証用のデータの登録、または消去の指図を示すデータとすることもできる。
【発明の効果】
【００１０】
本実施例によれば、個人認証装置に、簡単で安価に、図形を読み取り、認識することが可能な図形読取機能を兼用できる構成を実現できる。
【発明を実施するための最良の形態】
【００１１】
以下、図１〜図４を用いて個人認証兼図形読取装置の構成及び動作について説明する。
【００１２】
最初に、図１を用いて、本実施形態による個人認証兼図形読取装置の全体構成について説明する。
【００１３】
個人認証兼図形読取装置１００は、マイコン１１０と、赤外光源１２５と、撮像部115と、駆動回路１４５と、メモリ１５０と、電源回路１５５とを備えている。
【００１４】
まず、個人認証機能について説明する。
【００１５】
被認証物である指Ｆが指置き部である撮像部１１５の位置に置かれると、マイコン110は駆動回路１４５により赤外光源１２５に通電し、赤外光源１２５から出射した赤外光が指Ｆに照射される。赤外光源１２５としては、発光ダイオードなどを用いることができる。指Ｆ内部では赤外光が散乱し、また血管内の血液のヘモグロビンで吸収される。散乱、吸収された赤外光は、指の腹側から再び放射し、撮像部１１５に血管パターンを含む指画像が結像される。なお、撮像部１１５は赤外線透過フィルタ，レンズ，ＣＣＤやＣＭＯＳなどのイメージセンサなどから構成される。赤外線透過フィルタは血管パターンを得るのにノイズとなる可視光をカットし、血管パターンが含まれる赤外光のみを透過させるために用いている。赤外透過フィルタとしては、例えば、９００ｎｍ以上の光を透過する特性を持つものを用いる。一方、イメージセンサは、およそ１０００ｎｍ以下の波長の光に対して感度を有する。また、赤外光源の発光スペクトルは、例えば、中心波長が９４５ｎｍで、半値幅が４０ｎｍ程度である。撮像部１１５により撮像した血管パターンは光電変換されて電気信号となり、マイコン１１０に取り込まれる。
【００１６】
ここで、図２を用いて、血管パターンの一例について説明する。
【００１７】
図２は、本発明の一実施形態による個人認証装置で検出される血管パターンの説明図である。
【００１８】
例えば、指Ｆをイメージセンサの撮像範囲ＩＡの中心に置いた場合、図２に示すように、撮像部１１５で撮像される像は、指Ｆの輪郭と、血管パターンＢＶが得られる。血管パターンＢＶは個人により異なるので、あらかじめ血管パターンＢＶを不揮発性メモリ150に登録しておく。
【００１９】
マイコン１１０は、認証における認証パターンと登録パターンの一致，不一致の判定、および、個人認証兼図形読取装置１００全体の制御などを行う。
【００２０】
電源回路１５５には、外部の電源ＶＢから電力が供給されている。さらに、個人認証兼図形読取装置１００とエンジン始動装置２１０，情報端末装置２２０は、ＬＡＮで接続されている。
【００２１】
個人認証兼図形読取装置１００による自動車のエンジン始動の動作は、図１に示したマイコン１１０に記憶されたプログラムにより制御される。マイコン１１０の動作を図３のフローチャートを用いて説明する。
【００２２】
ステップＳ１０において、マイコン１１０は、認証すべき指Ｆが所定の位置に置かれたかどうかを判定する。この判定は、指Ｆを置く撮像部１１５にスイッチを設け、このスイッチがオンしたかどうかなどにより行われる。もし、指Ｆが置かれていなければ、ステップＳ１０に戻り、置かれた場合には、ステップＳ２０に移行する。
【００２３】
ステップＳ２０において、マイコン１１０は指の血管パターンＢＶの特徴パラメータ検出処理を行う。
【００２４】
血管パターンＢＶの特徴パラメータ抽出処理においては、最初にステップＳ２２において、指Ｆを照明する赤外光源１２５を駆動回路１４５により点灯する。
【００２５】
次に、ステップＳ２４において、イメージセンサ１１５にて指Ｆから放射される光の強度分布を光電変換して、マイコン１１０に取り込む。
【００２６】
次に、ステップＳ２６において、赤外光源１２５を消灯する。
【００２７】
次に、ステップＳ２８において、取得された強度分布に対して、演算処理を行い、血管パターンＢＶの特徴パラメータを検出する。なお、本ステップにおける処理の方法については、特開２００１−１８４５０７号公報に開示されているように、積分処理，微分処理を組み合わせたフィルタ処理を行うことにより実現可能である。
【００２８】
次に、ステップＳ３０において、抽出された特徴パラメータが、あらかじめメモリ150に記憶された単数、もしくは複数のパラメータとの照合を行う。ここでは、ステップＳ28で得られた指Ｆの血管パターンと、メモリ１５０から呼び出した登録血管パターンを比較して、両者の相違の程度を算出する。
【００２９】
次に、ステップＳ４０において、ステップＳ３０で算出された相違の程度から、照合結果の判定を行う。もし、相違の程度が小さい結果があれば、登録されている本人であると判断し、正規の運転者として認証されたことになる。また、相違が大きければ、未登録者、または照合失敗として、ステップＳ１０に戻る。
【００３０】
そして、ステップＳ５０に移行し、エンジン始動装置２１０に対して、ＬＡＮを経由してエンジン始動許可のコマンドを発行し、エンジンが始動される。
【００３１】
次に、図形読み取り機能について、同じく図１、および図４のフローチャートを用いて説明する。
【００３２】
図形読み取り時は、図１に示すように、指Ｆの代わりに被対象物である図形が刷り込まれた紙Ｐを撮像部１１５の位置に置く。マイコン１１０は、図形読取の制御に切り替え、個人認証機能の制御と同様にマイコン１１０に記憶されたプログラムにより動作する。この図形読取機能と個人認証機能はマイコン１１０により自動的に、あるいは外部においたスイッチを利用して任意に切り替えが可能である。マイコン１１０の動作を図４のフローチャートを用いて説明する。
【００３３】
ステップＳ７０において、読取開始と判断されると、ステップＳ７２において、マイコン１１０は駆動回路１４５により赤外光源１２５を通電し、赤外光を紙Ｐに照射する。ここで、紙に刷り込まれる図形としては、バーコード，数字や文字などを用いることができ、これらに限定したものではない。
【００３４】
次に、ステップＳ７４において、撮像部１１５上に結像された図形は、光電変換されて電気信号となり、マイコン１１０に取り込まれ、ステップＳ７６において赤外光源を消灯する。
【００３５】
次に、ステップＳ７８において、マイコン１１０は、バーコード認識ソフトウェアや文字認識ソフトウェアを動作させ、マイコン、あるいは、ＬＡＮで接続されたカーナビゲーションなどの情報端末装置２２０で認識できるデータに変換する。
【００３６】
そして、ステップＳ８０において、ステップＳ７８で変換されたデータを個人認証兼図形読取装置１００内、または、情報端末装置２２０へ出力する。
【００３７】
つまり、個人認証機能と同じ構成で、図形読取機能を付加することが可能となる。
【００３８】
なお、ここでは、赤外光源１２５は個人認証を行う際の赤外光源と兼用しているが、図形読取り用に別の光源を設けても、同様に図形読み取り機能が実現できる。
【００３９】
さらに、この情報端末装置２２０は無線を介して、インターネット網などの外部ネットワークに接続されていても良い。
【００４０】
図形読取機能を用いると、具体的例として下記の応用が可能となる。
（１）会社などの名刺に地点データに対応するバーコードを刷り込んでおき、そのデータから情報端末装置２２０により、道案内を行う。バーコードデータに対応する種種の情報は、情報端末装置２２０のハードディスクなどの固定記憶装置２２１にあっても良いし、無線を介してインターネット網上に配置されたサーバＳから取りこんでも良い。
（２）スキー場などでラーメン店などの飲食店のカード（バーコード入り）を置いておき、その飲食店、または、地点データから情報端末装置２２０により、道案内を行う。この際、飲食店の情報などを、情報端末装置２２０の固定記憶装置２２１、または、サーバＳから取りこんで、情報端末装置に表示しても良い。
（３）バーコードデータとして音楽番号とし、バーコードを読み込むと、サーバＳから音楽データのダウンロードを行う。この際、既に個人認証が終わっているので、認証した個人へ課金を行うことも可能である。
（４）認証装置の登録，消去の指示を出す。
【００４１】
なお、本実施例については、指の血管パターンを利用した個人認証装置を自動車のドアロック解除システムに適用した例について説明したが、指紋認証などの生体の光学的な特徴パターンを利用した個人認証装置にも応用が可能である。
【図面の簡単な説明】
【００４２】
【図１】本発明の実施例における個人認証兼図形読取装置の構成の一例。
【図２】指と血管パターンの撮像例。
【図３】個人認証機能におけるマイコンのプログラム動作フローチャート。
【図４】図形読取機能におけるマイコンのプログラム動作フローチャート。
【符号の説明】
【００４３】
１００…個人認証兼図形読取装置、１１０…マイコン、２００…エンジン始動装置、
２１０…エンジン始動装置、Ｆ…指、Ｐ…紙、ＢＶ…血管パターン。
【図１】
2005242726.tif 000003
【図２】
2005242726.tif 000004
【図３】
2005242726.tif 000005
【図４】
2005242726.tif 000006